(57)【要約】【課題】  稲の生育に重要な役割を果たす各種ミネラル成分がバランスよく且つ均一に土壌に分散されることを可能とする稲作用土壌改良材を提供すること。本発明はまた、各種ミネラル成分をバランスよく且つ均一に土壌に分散させることによる稲作用土壌の改良方法を提供すること。【解決手段】  ゼオライトにミネラル成分が付着していることを特徴とする稲作用土壌改良材、並びに該稲作用土壌改良材を用いた稲作用土壌の改良方法。【選択図】      なし【特許請求の範囲】
【請求項１】
ゼオライトにミネラル成分が付着していることを特徴とする稲作用土壌改良材。
【請求項２】
展着剤を用いてミネラル成分がゼオライトに付着していることを特徴とする、請求項１に記載の稲作用土壌改良材。
【請求項３】
ミネラル成分として、カルシウム、マグネシウム、ホウ素、鉄、マンガン、銅、亜鉛、およびモリブデンからなる群から選択される少なくとも１種を含有する、請求項１又は２に記載の稲作用土壌改良材。
【請求項４】
請求項１乃至３のいずれか１項に記載の稲作用土壌改良材を苗床に施用することを特徴とする、稲作用土壌改良方法。
【請求項５】
請求項１乃至４のいずれか１項に記載の稲作用土壌改良材を、土壌４リットルあたり５０〜１５０ｇの割合で土壌に混入することを特徴とする、稲作用土壌改良方法。
【発明の詳細な説明】
【技術分野】
【０００１】
本発明は、稲作用土壌改良材及び稲作用土壌改良方法に関し、詳しくは、稲の育成に必要な成分を土壌にバランス良く含有させるために、土壌改良材としてのゼオライトに更なる改良を加えた稲作用土壌改良材及び該土壌改良材を用いた稲作用土壌改良方法に係わるものである。
【背景技術】
【０００２】
窒素・リン酸・カリウムは、肥料の三要素とも言われ、稲の生育において不可欠であるが、ミネラル成分もまた稲の生育に重要な役割を果たすことが知られている。このため、稲の育成においてミネラル成分を肥料として、あるいはミネラル成分を肥料に含有させ土壌に施用する手段が用いられている（例えば、特許文献１参照。）
しかしながら、ミネラル成分を肥料として土壌に散布・混入させる手段では、肥やけ等の弊害が生じやすくなり、その結果、発芽発根傷害等が起き、稲が不健康な状態になることで病気にかかりやすくなり、稲の成長が妨げられるという問題が生じていた。これは、後に詳述するように、各種ミネラル成分をバランスよく均一に分散させることが困難であることに起因することが本発明者等の鋭意研究により判明した。
【０００３】
一方、農業、園芸分野等において、ゼオライトは、土壌に施用されることにより、土壌のカチオン交換容量を高めて土壌の肥料成分保持力を増大させ得ることから、土壌改良材として広く用いられている（例えば、非特許文献１参照。）。
【特許文献１】特開２００３−３８０４７号公報
【非特許文献１】原伸宜、高橋浩著、講談社サイエンティフィク、１９７５年２月１日発行、ゼオライト、３０３−３０８頁
【発明の開示】
【発明が解決しようとする課題】
【０００４】
本発明は、稲の生育に重要な役割を果たす各種ミネラル成分がバランスよく且つ均一に土壌に分散されることを可能とする稲作用土壌改良材を提供することを目的とする。本発明はまた、各種ミネラル成分をバランスよく且つ均一に土壌に分散させることによる稲作用土壌の改良方法を提供することを目的とする。
【課題を解決するための手段】
【０００５】
本発明は、前記課題を解決すべく完成されたものであり、本発明により、ゼオライトにミネラル成分が付着していることを特徴とする稲作用土壌改良材が提供される。  
本発明の一態様において、前記ミネラル成分は展着剤を用いてゼオライトに付着されている。  
また、前記ミネラル成分として、カルシウム、マグネシウム、ホウ素、鉄、マンガン、銅、亜鉛、およびモリブデンからなる群から選択される少なくとも１種を含有し得え、あるいは少なくともホウ素を含有し得る。  
また、本発明において、前記ゼオライトは、陽イオン交換容量が１５０ｍｇ当量／１００ｇ以上である得る。  
また、本発明により、前記稲作用土壌改良材を用いた土壌の改良方法が提供される。本発明の一態様において、稲作用土壌改良材は苗床に施用することができ、また、土壌４リットルあたり５０〜１５０ｇの割合で配合し得る。
【発明の効果】
【０００６】
本発明により、稲の生育に重要な役割を果たす各種ミネラル成分をバランスよく且つ均一に土壌に分散することが可能となるため、肥やけ等による発芽発根傷害等の弊害を抑制し、丈夫で病気になりにくい稲を育成することができる。
【発明を実施するための最良の形態】
【０００７】
本発明者等は、ミネラル成分を肥料として土壌に散布・混入させた場合に、発芽発根傷害等の弊害が生じやすくなり、稲の成長が妨げられる原因について鋭意検討した結果、以下の知見を得た。
【０００８】
稲の生育に重要な役割を果たすミネラル成分には、カルシウム、マグネシウム等のように稲の育成において多量に必要となる多量成分と、鉄、マンガン、ホウ素等のように微量に存在すれば足りる微量成分とがあるところ、ミネラル成分を肥料として土壌に散布・混入させる上記手段では、多量成分と微量成分とをバランスよく均一に分散させることが困難である。微量成分を土壌に均一に分散させようとすると結果として微量成分が多く含まれている部分が発生し、該部分では肥やけ等の弊害が生じやすくなる。その結果、発芽発根傷害等がおき、稲が不健康な状態になることで病気にかかりやすくなり、成長が妨げられるという問題が生ずる。また、肥料中にミネラル成分を含有させる場合、微量成分をｐｐｍオーダーにおいて均一に分散させることも困難である。
【０００９】
本発明の稲作用土壌改良材は、かかる知見に基づき完成されたものであり、土壌改良材として汎用されているゼオライトにミネラル成分を付着させたことを特徴とする。稲の生育に重要な役割を果たす各種ミネラル成分をバランスよく配合したものをゼオライトに付着させたゼオライトを稲作用土壌に施用することにより、各種ミネラル成分（多量ミネラル成分と微量ミネラル成分）をバランスよく且つ均一に土壌に分散させることが可能となる。
【００１０】
本発明において用いるゼオライトとしては、特に限定されるものではなく、土壌改良材として通常用いられるゼオライトを好適に使用することができる。  
また、保肥力の観点からゼオライトの陽イオン交換容量は高い方が好ましく、１００グラムあたり１５０ｍｇ当量（以下において、「ｍｅｑ」と表記する。）であることが好ましい。
【００１１】
ミネラル成分としては、稲の生育に重要な役割を果たす各種ミネラル成分を用いることができる。本発明の一態様として、カルシウム、マグネシウム等の多量ミネラル成分、およびホウ素、鉄、マンガン、銅、亜鉛、およびモリブデン等の微量ミネラル成分から選択される少なくとも１種を稲が成長する段階に応じた適切な配合率において用いることができる。また、本発明の他の態様として、カルシウム、マグネシウム等の多量ミネラル成分から選択される少なくとも１種と、ホウ素、鉄、マンガン、銅、亜鉛、およびモリブデン等の微量ミネラル成分から選択される少なくとも１種を稲が成長する段階に応じた適切な配合率において用いることができる。微量成分の中で、ホウ素は、細胞膜や通導組織の形成維持、水分、炭水化物、窒素の代謝、糖やカルシウムの吸収、転流において重要な働きを有するため、本発明において好適に用いられる。
【００１２】
本発明の稲作用土壌改良材は、ゼオライトにミネラル成分を付着させてなるが、付着手段としては展着剤を用いることができる。  
さらに、本発明においてはゼオライトと共に稲の生育を促進する少なくとも１種の微生物を用いることが好ましく、具体例としては、光合成細菌、エーテル菌、乳酸菌等を挙げることができる。その中でも光合成細菌は、窒素固定（窒素ガスの還元によるアンモニアの生成）、炭酸固定（炭酸ガスの還元による炭水化物の生成）に寄与するため含有させることが好ましい。また光合成細菌は、炭酸固定を行う際に、水素や硫化水素等の還元力の強い物質を必要とするため、ゼオライトの劣化の原因となる水素を取る役割も有する。
【００１３】
本発明の稲作用土壌改良材は、苗床に施用することにより、発芽した苗の育成を制御し苗の状態を良好に保ち、且つ苗床の段階で強い茎を育成することができるため好ましい。但し、苗床の段階に限られるものではなく、稲を定植した田畑に施用してもよい。
【００１４】
また、本発明において稲作用土壌改良材の土壌に対する配合率は、適宜決定すればよく、目安としては土壌４リットルあたり５０〜１５０ｇの割合で土壌に配合することができる。
【実施例】
【００１５】
以下、本発明を実施例により更に詳細に説明するが、本発明はこれらによって限定されるものではない。なお、以下において「部」は「質量部」を示す。
【００１６】
［実施例１］
（ミネラル成分溶液の調製）
リン酸カルシウム２５部、炭酸カリウム１００部、展着剤６０部、およびミネラル成分としてマグネシウム、マンガン、酸化ホウ素、及びモリブデンをｐｐｍオーダーにおいて水９０００部に混入させることによりミネラル成分溶液を調製した。
【００１７】
（有用微生物群混入液の液調製）
光合成細菌、エーテル菌及び乳酸菌からなる有用微生物群をｐｐｍオーダーで混入した水溶液を調製した。
【００１８】
（稲作用土壌改良材の製造）
前記で得られたミネラル成分溶液９部、光合成活性液０．３部、およびゼオライト３０部を混合攪拌機にて３０分間撹拌し、本発明例である稲作用土壌改良材を製造した。ここでゼオライトとして、陽イオン交換容量が１５０ｍｅｑ／１００ｇ以上のものを用いた。
【００１９】
該稲作用土壌改良材を土４部に対し０．１部の割合で混合して得られた土壌を苗床用土壌として用い、これに稲の種をまいて苗を育成した。
【００２０】
［比較例１］
前記実施例において用いたゼオライトと同じものを用い、ミネラル成分が付着していないゼオライトを土４部に対し０．１部の割合で混合して得られた土壌を実施例１と同様苗床用土壌として用い、これに稲の種をまいて苗を育成した。
【００２１】
実施例１および比較例１で成長した苗について、その茎の太さ、根の太さ、苗の強さ、株の分結状態について評価した。結果を表１に示す。なお、各評価の評価方法は以下の通りである。
【００２２】
（根の太さ測定）
苗床に種をまいてから２週間後の苗の根の先端径をソニーマグネスケールにて測定する。その結果、土のみを用いて苗を育成した場合と比較して根の先端が太い場合を良好とし、
○：良好
△：同等
×：劣る
として評価した。
【００２３】
（苗の強さ測定）
苗床に種をまいてから２週間後の苗の上に、均一に荷重が掛かるように重し（２ｋｇ）を乗せ、苗の沈み具合をノギスにて測定する。その結果、土のみを用いて苗を育成した場合と比較して苗の沈み具合が少ない場合を良好とし、
○：良好
△：同等
×：劣る
として評価した。
【００２４】
（株の分結状態）
苗床に種をまいてから２週間後に、株の分結が発生しているかを目視にて測定する。評価基準は、
○：分結あり
×：分結なし
として評価した。なお、土のみの場合、分結はなかった。
【表１】
2005073513.tif 000002
【００２５】
表１の結果から明らかなように、本発明により、茎、根の成長に優れ丈夫な苗の育成が実現できた。